(57)【要約】【課題】スマートフォンのようなタッチパネル式ディスプレイ型の情報端末での文章入力で、外部機器を用いることなく両手による効率的に文章を入力する。またスマートフォンの小型サイズの限られた表示ディスプレイ内に無駄なく配置した入力インターフェースにより、両手を用いた迅速で誤入力の少ない文章入力を行えるようにする。【解決手段】スマートフォンのようなタッチパネル式ディスプレイ型の情報端末を用いて文書入力をする場合、両手を用いて効率的且つ迅速な文章の入力を提案する方法であって、片手による入力や従来からある両手を用いた入力よりも正確な文章を入力できる。さらにはスマートフォンのようなサイズの小さいディスプレイ内に全ての数字とアルファベットを配置させる方法を提案する。【選択図】図１
2019087213.tif 000002
【特許請求の範囲】
【請求項１】
タッチパネル式ディスプレイ型の情報端末を用いて文書入力をする場合、両手を用いて効率的且つ迅速な文章の入力を提案する方法であって、片手による入力や従来からある両手を用いた入力よりも正確な文章を入力できるシステム。
【請求項２】
請求項１の方法であって、外部入力装置を有さないタッチパネル式ディスプレイ型の情報機器のディスプレイ内に通常の文書入力に必要となる全ての数字とアルファベットを配置するスライド式の入力インターフェース配置およびシステム。
【請求項３】
請求項１の方法であって、スマートフォンのようなサイズの小さいディスプレイ内に通常の文書入力に必要となる全ての数字とアルファベットを配置する入力インターフェース配置およびシステム。
【請求項４】
請求項１、請求項２、請求項３の方法またはソフトウェアシステムを用いた、電子メールやソーシャルネットワーキングサービス、ホームページ作成システム、コンテンツ管理システム、ブログシステムなどの、ウェブ応用システム。
【発明の詳細な説明】
【技術分野】
【０００１】  本発明は、タッチパネル式ディスプレイ型の情報端末における文章入力を両手用いて迅速且つ正確に行うためのシステムおよび入力インターフェースに関するものである。
【背景技術】
【０００２】  スマートフォンなどのようなタッチパネル式ディスプレイ型の情報端末にはキーボードのような外部入力機器が付属していないため、通常のコンピュータのような迅速で正確な文字入力が難しい。【０００３】  また、タッチパネル式ディスプレイ型の情報端末では一般的にディスプレイ内に入力インターフェースを表示し、配置させるが両手による入力を前提としておらず、文字入力をする際に利用者が感じる違和感は大きく、設計上の課題は多い。【０００４】  本発明は、タッチパネル式ディスプレイ型の情報端末において両手を用いて迅速且つ正確な文章入力を可能とする入力インターフェースの配置およびデザインを含めたシステムである。
【先行技術文献】
【特許文献】
【０００６】
【特許文献１】特開２０１４−０１０６８８号公報
【発明の概要】
【発明が解決しようとする課題】
【０００７】  スマートフォンやタブレットコンピュータのような一般的なタッチパネル式ディスプレイ型の情報端末には外部のキーボードのような入力機器が標準装備されていないため、文章入力に必要となる入力インターフェースは全てディスプレイ内に表示し、配置しなければならない。しかし、タッチパネル式ディスプレイ型の情報端末はモバイル利用が前提となっているものが多く、小型のものが多い。【０００８】  よって、表示ディスプレイのサイズも小さく、通常の文章入力に必要な英文アルファベット２６文字および英数字１０文字、および必要最低限の記号や演算子類十数文字を配置することは難しい。また、全て配置した場合、配置箇所が不自然になったり、表示サイズが小さくなるなど、両手を用いた尋常な文章入力には適していない。【０００９】  本発明は、このようなタッチパネル式ディスプレイ型の情報端末での文章入力の事情に鑑みてなされたものであり、タッチパネル式ディスプレイ型の情報端末での両手を用いた文章入力の操作性の向上のためのシステムであり、また、入力インターフェースの配置およびデザインを提供し、文章入力を迅速且つ正確にすることを目的とする。
【課題を解決するための手段】
【００１０】  本発明では、上記の目的を達成させるために、以下のような手段をとる。タッチパネル式ディスプレイ型の情報端末の限られた画面サイズの中で、ストレスのない両手での文字入力を実現させるための入力インターフェースの配置として、図２、図３に示すように、通常のパーソナルコンピュータのキーボードで採用されている「ＱＷＥＲＴＹ」配列に準拠したアルファベットおよび英数字と記号類を左右に分割した文字入力キーとして、ディスプレイの左右および下部に配置する。【００１１】  図１に示すように、利用者はタッチパネル式ディスプレイ型の情報端末を縦型に両手でも持ち、左右の親指を用いて文章を入力することが可能となる。【００１１】  また、図４に示すように、タッチパネル式ディスプレイ型の情報端末上のディスプレイを左右にスライドさせることで、アルファベット以外の文字配列のインターフェースを表示させることができる。利用者は、ディスプレイを軽く左右ないし上下にスライドさせるだけで、アルファベット以外の文字の入力も可能となる。
【発明の効果】
【００１２】  請求項１によれば、本発明は、タッチパネル式ディスプレイ型の情報端末において両手による文字入力の操作性を向上させることが可能である。
請求項２によれば、本発明は、通常の文章入力に必要となる全ての数字とアルファベットおよび記号類をタッチパネル式ディスプレイ型の情報端末のディスプレイ内に表示させることが可能である。【００１３】  請求項３によれば、本発明は、通常の文章入力に必要となる全ての数字とアルファベットおよび記号類をスマートフォンのようなサイズの小さいディスプレイ内に表示させることが可能である。【００１４】  請求項４によれば、本発明は、請求項１、請求項２、請求項３の方法またはソフトウェアシステムを利用することで、電子メールやソーシャルネットワーキングサービス、ホームページ作成システム、コンテンツ管理システム、ブログシステムなどの、ウェブ応用システムを作成することができる。
【図面の簡単な説明】
【００１５】
【図１】本発明による基本的な利用形態、利用方法を示す図である。
【図２】本発明による請求項２のアルファベットの入力インターフェースの例を示す図である。
【図３】本発明による請求項２の英数字および記号類の入力インターフェースの例を示す図である。
【図４】本発明による請求項２のスライド式による入力インターフェースの切り替え方法を示す図である。
【発明を実施するための形態】
【００１６】  図１は、本発明の利用方法、利用形態の例を示した図である。タッチパネル式ディスプレイ型の情報端末を両手持ち、左右の親指を用いて、ディスプレイ左右および下部に配置された文字入力インターフェースにより文字を入力する。
【００１７】  図２は、本発明の文字入力インターフェースによるアルファベット入力の状態の例を示す例である。
【００１８】  図３は、本発明の文字入力インターフェースによる英数字および記号類、演算子類入力の状態の例を示す例である。
【００１９】  図４は、本発明の文字入力インターフェースにおける、請求項２のスライド式による入力インターフェースの切り替え方法を示す図である。
【符号の説明】
【００２０】  １  タッチパネル式ディスプレイ型の情報端末
２  文章表示領域
３  文字入力インターフェース
４  利用者の右手
５  利用者の左手
【図１】
2019087213.tif 000003
【図２】
2019087213.tif 000004
【図３】
2019087213.tif 000005
【図４】
2019087213.tif 000006